(57)【特許請求の範囲】
【請求項１】
下蓋部の一端に、下蓋部上への折り重ねが可能な上蓋部が連接されていると共に、下蓋部の他端に、下蓋部上へ折り返すことで、上記折り重ねられる下蓋部と上蓋部の間へ挟み込まれる収納部が連接されており、
この収納部は、一端が下蓋部に連接されていて、ディスクが載置される受け部と、受け部の両側に位置し、受け部上に折り返されて、受け部上のディスクを押える保持部と、ディスクを上記載置で係止するディスク止め手段と、受け部の他端に、受け部上に折り返された保持部上に折り返される押え部とを有することを特徴とするディスクケース。
【請求項２】
上蓋部には、ほぼ中央部に外窓が設けられ、収納部のディスク載置位置には、下蓋部と上蓋部間に挟み込まれた時に上蓋部の外窓とほぼ重なる内窓が設けられていることを特徴とする請求項１のディスクケース。
【請求項３】
下蓋部上に重ねた時の上蓋部の自由端側に綴じ込み代がとられており、保持部の一端部がこの綴じ込み代内に位置していて共に綴じ込まれるものであることを特徴とする請求項１のディスクケース。
【請求項４】
ディスク止め手段が、受け部と保持部との間に形成され、ディスク４の外周縁部を差し込むことで、展開形状における下蓋部方向と押え部方向へのディスクのずれを係止するスリットであることを特徴とする請求項１のディスクケース。
【請求項５】
ディスク止め手段が、受け部と保持部との間に形成され、ディスク４の外周縁部を差し込むことで、展開形状における下蓋部方向へのディスクのずれを係止するスリットであり、しかも押え部を受け部上へ折り返す時の折り返しラインが、受け部に載置されるディスクの外周縁付近に設けられていることを特徴とする請求項１のディスクケース。
【請求項６】
押え部の先端縁に、受け部上に折り返された保持部上に折り返された時に、保持部の下側に折り込まれる折り込み片が形成されていることを特徴とする請求項１のディスクケース。
【請求項７】
受け部が下蓋部の内側にやや食い込んで下蓋部に連接されていることにより、収納部の下蓋部上への折り返しラインが下蓋部の内側にやや食い込んだ位置に形成されていることを特徴とする請求項１のディスクケース。
【請求項８】
１つの下蓋部に対して複数の収納部が並列して夫々連接されていることを特徴とする請求項１のディスクケース。
【請求項９】
下蓋部の両側部に、下蓋部上へ折り返された収納部側へ折り返されて当該収納部を抱える掩蓋片が設けられていることを特徴とする請求項１のディスクケース。
【請求項１０】
収納部が折り返された下蓋と、下蓋上に折り返された上蓋間を止める蓋止め手段が設けられていることを特徴とする請求項１のディスクケース。
【発明の詳細な説明】
【０００１】
【発明の属する技術分野】
本発明は、例えばコンパクトディスク（ＣＤ）、ミニディスク（ＭＤ）、レーザーディスク（ＬＤ）等の光ディスクを初めとして、レコード盤や磁気ディスク等のディスクを収納するための簡易なディスクケースに関する。
【０００２】
【従来の技術】
従来、ディスクを雑誌や書籍に付帯させる場合、持ち運び時のディスクの脱落や書店店頭でのディスクの抜き取り防止のため、雑誌や書籍に綴じ込まれた簡易なディスクケースにディスクを封入しておくことが行われている。このディスクケースとしては、ディスクの保護も兼ねて、厚紙製のものが多く使用されている。例えば、２枚の厚紙の一方の内面側にディスクを収納する凹部を形成すると共に、他方の厚紙にディスク中央のラベル部分を露出させる窓部を形成しておき、凹部の周囲に接着剤を塗布し、凹部内にディスクを入れた後、２枚の厚紙を貼り合わせて密封したものが知られている。また、貼り合わせた厚紙間からディスクを取り出しやすくするために、ディスクを収容する凹部部分を開封するためのミシン目を形成したものも知られている。
【０００３】
【発明が解決しようとする課題】
しかしながら、上記従来のディスクケースの場合は、収納したディスクの周囲を接着剤で貼り合わせることから、接着剤の塗布工程が必要となり、しかもディスクの収納部分を残して周囲に接着剤を塗布するために、接着剤の塗布工程が煩雑になる問題がある。また、接着剤を用いる場合、接着剤の乾燥状態に合わせて貼り合わせ作業を進める必要があり、ディスクの封入に手間がかかる問題がある。
【０００４】
本発明は、上記接着剤を用いて密封する方式の従来のディスクケースの問題点に鑑みてなされたもので、基本的に接着剤による封止を行うことなくディスクの脱落や抜き取りを確実に防止できるディスクケースとすることを目的とする。
【０００５】
【課題を解決するための手段】
このために本発明で講じられた手段を一実施例に対応する図１で説明すると、本発明では、下蓋部１の一端に、下蓋部１上への折り重ねが可能な上蓋部２が連接されていると共に、下蓋部１の他端に、下蓋部１上へ折り返すことで、上記折り重ねられる下蓋部１と上蓋部２の間へ挟み込まれる収納部３が連接されており、
この収納部３は、一端が下蓋部１に連接されていて、ディスク４が載置される受け部５と、受け部５の両側に位置し、受け部５上に折り返されて、受け部５上のディスク４を押える保持部６，６と、ディスク４を上記載置位置で係止するディスク止め手段（図１ではスリット７，７）と、受け部５の他端に、受け部５上に折り返された保持部６，６上に折り返される押え部１１とを有するディスクケースとしているものである。
【０００６】
【発明の実施の形態】
図１〜図５に基づいて本発明に係るディスクケースの一例を説明する。
【０００７】
図１は展開状態を示す平面図である。本ディスクケースは、一般的には厚紙で構成されるもので、図１中、中央が下蓋部１、左側が上蓋部２、右側が収納部３である。
【０００８】
上蓋部２は、下蓋部１の一端に連接されていて、下蓋部１上へ折り返して重ねることができるものとなっている。図中８ａが、上蓋部２を下蓋部１上へ折り返して重ねる時の折り返しラインである。また、上蓋部２のほぼ中央部には、円形の外窓９ａが形成されている。
【０００９】
下蓋部１の他端には、収納部３が連接されている。この収納部３は、一端が下蓋部１に連接された受け部５と、この受け部３の両側に位置する保持部６，６と、受け部の５の他端に連接された押え部１１とから構成されている。また、収納部３は、折り返しライン８ｂを介して下蓋部１上へ折り返すことができるものとなっている。
【００１０】
更にこの収納部３について説明する。
【００１１】
受け部５はディスク４が載置される部分で、その両側に位置する保持部６，６は、受け部５上へ折り返されることで、受け部５上に載置されたディスク４を押えるものである。図中８ｃ，８ｃは、保持部６，６を受け部３上へ折り返す時の折り返しラインで、この折り返しライン８ｃ，８ｃ間の間隔は、ディスク４の直径よりやや小さくなっている。
【００１２】
受け部５には、後述するように収納部３を下蓋部１上に折り返し、更に上蓋部２を下蓋部１上に折り返した時に、前記上蓋部２の外窓９ａとほぼ重なる円形の内窓９ｂが設けられている。また、受け部５と保持部６，６との間には、ディスク４の外周縁部を差し込むことで、図中左右方向（展開形状における下蓋部１方向と押え部１１方向）へのディスク４のずれを係止するためのスリット７，７が、ディスク止め手段として形成されている。
【００１３】
更にスリット７，７について説明すると、このスリット７，７は、受け部５上に載置されるディスク４の外周縁と両折り返しライン８ｃ，８ｃとの交点付近に夫々両端が位置し、ディスク４の外周に沿って中央部が保持部６，６側に突出した形状の弧状をなすものである。スリット７，７は、両保持部６，６を受け部５上へ折り返した時に、ディスク４の周縁部がスリット７，７に差し込まれた状態となり、これによってディスク４を係止するものとなっている。
【００１４】
受け部の５の他端（下蓋部１との連接側とは反対側）には、押え部１１が連接されている。この押え部１１は、受け部５上に折り返された保持部６，６上に折り返され、保持部６，６の開きを押えるものである。図中８ｄは、押え部１１を受け部５側へ折り返す時の折り返しラインで、上記のように押え部１１を保持部６，６上に折り返した時に、図中右方向へのディスク４の遊びを押えることができるよう、ディスク４の外周縁付近に設けることが好ましい。
【００１５】
次に、図１〜図５に基づいて、本ディスクケースへのディスク４の収納手順を説明する。
【００１６】
まず、図１に一点鎖線で示される位置にディスク４を置く。即ち、内窓９ｂを同心円状に覆い、外周縁がスリット７，７に沿って位置するようにディスク４を置く。
【００１７】
次に、両保持部６，６を折り返しライン８ｃ，８ｃを介して受け部５上へ折り返し、載置したディスク４を上方から押える。この状態が図２の状態で、両保持部６，６を受け部５上へ折り返すことで、自動的にディスク４の周縁部がスリット７，７に差し込まれた状態となる。ディスク４の図中左右方向へのずれは、ディスク４がスリット７，７へ差し込まれた状態となることで防止され、ディスク４の図中上下方向へのずれは、折り返された両保持部６，６で防止される。従って、ディスク４は所定の載置位置に保持されることになる。
【００１８】
上記のように両保持部６，６を受け部５上へ折り返した後、図３に示されるように、両保持部６，６の上に、折り返しライン８ｄを介して押え部１１を折り返す。これによって両保持部６，６は押え部１１で押えられ、開きにくい状態となる。
【００１９】
更に、図４に示されるように、収納部３全体を折り返しライン８ｂを介して下蓋部１上へ折り返す。ところで、両保持部６，６の下蓋部１側端部と下蓋部１間は単なる切り込みでもよいが、特に厚い紙で本ディスクケースを構成する場合、図１に明示されるように、２ｍｍ以上の幅の隙間１０を形成しておくことが好ましい。これは、図２に示されるように、両保持部６，６を下蓋部１上へ折り返した時に、両保持部６，６の端部と折り返しライン８ｂの間に隙間１０をもたせ、収納部３全体を折り返しライン８ｂを介して下蓋部１上へ折り返す時に、両保持部６，６の端部が下蓋部１の上面に当接してこの折り返しが行いにくくなるのを防止するためのものである。
【００２０】
両保持部６，６を受け部５上へ折り返して図４に示される状態とした後、更に上蓋部２を下蓋部１上へ折り返して重ね、上蓋部２と下蓋部１の間に収納部３を挟み込む。この状態の平面図が図５（ａ）、概略正面図が図５（ｂ）である。この状態では、図４に示される上蓋部２の外窓９ａと、収納部３の内窓９ｂはほぼ重なり、外窓９ａと内窓９ｂを介して、収納されているディスク４（特に中央部ラベル部分）を外から確認することができる。外窓９ａと内窓９ｂは必須のものではないが、本ディスクケース内に収容されたディスク４の存在やその内容を外部から確認できるようにするために、設けることが好ましい。この外窓９ａと内窓９ｂは、同じ大きさの円孔として形成してもよいが、外窓９ａと内窓９ｂの位置が多少ずれても、外からこのずれが見えないようにするために、外窓９ａを内窓９ｂより少し（一回り）小さくすることが好ましく、更に、ディスク４が飛び出さない範囲で、両者の大きさや形状を相違したものとしたり、三角形、四角形、その他の形状とすることもできる。また、外窓９ａと内窓９ｂの一方又は両者をプラスチックシートやフィルム等の透明材料で覆い、収納されるディスク４の保護を図ることもできる。
【００２１】
図５（ｂ）に明示される上蓋部２の自由端側を下蓋部１（収納部３）上に重ね、この自由端側を雑誌や書籍に綴じ込むことで、ディスク４の包み込みに特に接着剤を使用することなく、ディスク４を雑誌や書籍に付帯させることができる。雑誌や書籍への綴じ込みは、例えばアジロ綴や無線綴で行うことができる。
【００２２】
上記のようにして雑誌や書籍に綴じ込まれた本ディスクケースの両側部は、上蓋部２と下蓋部１が重なり合っただけの状態で、接着剤もしくは粘着剤による封止は行われていない。しかし、側部から上蓋部２と下蓋部１の間に指等をこじ入れても、収納部３のディスク４の両側には保持部６，６が被さっており、更に保持部６，６は押え部１１で押えられていて、ディスク４を抜き取ることはできない状態となっている。また、同様の理由から、持ち運び時のディスク４の脱落も生じる恐れがないものである。特に保持部６，６がディスク４に深く被さっている程、このようなディスクケース側部からのディスク４の抜き取り阻止と脱落の防止が確実になることから、保持部６，６のディスク４上への被さり幅は夫々ディスク４の半径の１／２以上で直径以下（好ましくは半径以下）であることが好ましい。
【００２３】
雑誌や書籍に綴じ込まれた本ディスクケースを雑誌や書籍から容易に取り外せるよう、本ディスクケースを貫通するミシン目や切れ目等を綴じ込み側を横断して設けておくことができる。また、下蓋部１や上蓋部２をを切り開いて開封しやすくするための開封用のミシン目や切れ目を下蓋部１や上蓋部２に設けておくこともできる。
【００２４】
更に、本ディスクケースを雑誌や書籍に綴じ込む場合について説明する。
【００２５】
本ディスクケースを雑誌や書籍に綴じ込む場合、図６に示されるように、開封部１２を設けることが好ましい。この開封部１２は２条のミシン目や切れ目に挟まれた帯状部分で、中央から左右に引き剥して開封できるようになっている。図６においては、開封部１２が下蓋部１に設けられているが、これは上蓋部２に設けてもよい。また、両保持部６，６の下蓋部１寄りには、ミシン目や切れ目である切り離しライン１３が形成されている。この切り離しライン１３の役割については後述する。
【００２６】
上記図６に示されるディスクケースは、上記開封部１２及び切り離しライン１３を有する点以外は図１のものと同様で、図１のものと同様に折りたたまれ、最終的に図７（ｂ）に明示される上蓋部２の自由端側を下蓋部１（収納部３）上に重ね、この自由端側を雑誌や書籍に綴じ込むことで、ディスク４を包み込んで雑誌や書籍に付帯されるものである。このとき、図７（ａ）に斜線で示されるように、上蓋部２の自由端側に綴じ込み代１４がとられるが、保持部６，６の側端部をこの綴じ込み代１４内に位置させ、これも共に綴じ込んでしまうことが好ましい。押え部１１の先端部も綴じ込み代１４内に位置させることもできるが、本例における押え部１１は綴じ込み代１４にかからない長さとなっている。
【００２７】
上記綴じ込み後、図６に示される開封部１２を左右に引き剥して、下蓋部１と上蓋部２を分離して開封した状態が図８である。この図８に明示されるように、保持部６がディスク４上に被さった状態で綴じ込まれて開かないようになっており、ディスク４の保持力が一層向上する。従って、本ディスクケースを比較的薄く柔軟な紙で構成した時でも、上蓋部２と下蓋部１の間に指等をこじ入れることによるディスク４の抜き取りや、持ち運び時のディスク４の脱落を防止することができる。
【００２８】
ところで、図８の状態では、保持部６，６の一側端（図中下側）が雑誌や書籍に綴じ込まれているため、そのままでは保持部６，６を開いてディスク４を取り出しにくい。保持部６，６に設けられている切り離しライン１３は、これに沿って保持部６，６を切断することで綴じ込みから保持部６，６を開放し、保持部６，６を開きやすくするためのものである。この切り離しライン１３は必須のものではないが、上記綴じ込みを行う場合、ディスク４を取り出しやすくする上で設けることが好ましい。
【００２９】
また、上記切り離しライン１３は、保持部６，６のみを貫通するミシン目や切り込みとして設ける他、受け部５と保持部６，６を貫通するミシン目や切り込みとして、綴じ込み代１４に沿って収納部３を横断して設けてもよい。このようにすると、収納部３全体を容易に雑誌や書籍から切り離すことができる。この場合、収納部３の綴じ込み代１４寄りにファイリング用のパンチ孔を設けておくと、切り離した収納部３ごとディスク４を容易にファイリングすることができる。
【００３０】
尚、図８に示される開封状態は、押え部１１の長さを保持部６，６の幅より短くして、押え部１１の先端が綴じ込み代１４にかからないようにした場合である。しかし、押え部１１を長くすることで、押え部１１の先端も綴じ込まれるようにすれば、更にディスク４の保持が強固となる。この場合、押え部１１を綴じ込みから開放するために、切り離しライン１３を押え部１１にも設けることが好ましい。
【００３１】
比較的厚く腰の強い紙で本ディスクケースを構成する場合、図９に示されるように、保持部６と下蓋部１間の隙間１０を広くとり、図１０に示されるように、押え部１１と共に保持部６も綴じ込み代１４にかからないようにすることもできる。この場合、図９に示される開封部１２を左右に引き剥して開封した状態が図１１に示される状態である。保持部６は綴じ込まれていないフリーな状態であるので、開封後直ちに保持部６を開いてディスク４を取り出すことができる。
【００３２】
尚、図６〜図１１において、図１と同じ符号は図１と同じ構成部材を示すものである。
【００３３】
ところで、ディスク４は、矩形の袋１５（図１２参照）に入れて本ディスクケースに収納するのが一般的である。この場合、上記弧状のスリット７，７をディスク止め手段として用いても大きな支障はないが、袋１５の一部が折り畳まれたりしわ寄せられやすいことから、収納作業を容易にする上では、図１２に示されるような鉤形のスリット７，７をディスク止め手段として用いることが好ましい。
【００３４】
図１２において、ディスク４は矩形の袋１５に収容されている。この袋１５は、ディスク４を保護するためのもので、どのようなものでも差し支えないが、一般的には片面が透明なプラスチックフィルムで他面が不織布で構成されたものが用いられる。このプラスチックフィルムと不織布からなる袋に収容したディスク４を受け部５に載置する場合、内窓９ｂからプラスチックフィルムを介してディスク４を確認できるよう、プラスチックフィルム側を受け部５と向き合わせて載置することになる。
【００３５】
保持部６，６を受け部５上へと折り返す時の折り返しライン８ｃ，８ｃ間の間隔は、ディスク４の直径より少し狭くなっている。また、スリット７，７は、ディスク４（袋１５）の外周縁と両折り返しライン８ｃ，８ｃとの交点付近に両端が夫々位置し、ディスク４を収容した袋１５のコーナー部外周に沿って、中央部が保持部６，６側に突出した鉤形に形成されている。また、ディスク４を収容した袋１５は、鉤形のスリット７，７にそのコーナー部を沿わせるべく、図１２においてコーナー部を上下に位置させて載置されている。
【００３６】
上記図１２に示されるような位置にディスク４を収容した袋１５（ディスク４のみでもよい）を置いた後、図１３に示されるように、両保持部６，６を受け部５上へ折り返すと、自動的に袋１５のコーナー部及びディスク４の周縁部がスリット７，７に差し込まれた状態となる。ディスク４の図中左右方向へのずれは、袋１５のコーナー部及びディスク４の外周縁部がスリット７，７へ差し込まれた状態となることで防止され、ディスク４の図中上下方向へのずれは、折り返された両保持部６，６で防止されることから、ディスク４は所定の載置位置に保持されることになる。この鉤形のスリット７，７は、前記弧状のスリット７，７と同様に、受け部５と保持部６，６との間に形成されており、ディスク４の外周縁部を差し込むことで、図中左右方向へのディスク４のずれを係止するディスク止め手段であるが、袋１５をほぼ置いた状態のまま無理な力を加えることなく収納することができ、収納作業が容易となる。
【００３７】
ディスク止め手段は、ディスク４の図中左右両方向へのずれを係止できるものが好ましいが、ディスク４の図中右方向へのずれは、前述のように、押え部１１を受け部５側へ折り返す時の折り返しライン８ｄをディスク４の外周縁付近に設けることで押えることができる。従って、図１４に示されるように、受け部５と保持部６，６との間に形成したスリット７，７で、ディスク４の外周縁部を差し込むことで、図中左方向（展開形状における下蓋部１方向）へのディスク４のずれを係止するものをディスク止め手段とすることもできる。
【００３８】
図１４において、ディスク４は袋１５に収容されて受け部５上に載置されており、両保持部６，６を受け部５上へ折り返す時の折り返しライン８ｃ，８ｃ間の間隔は、これまで説明してきたものと同様に、受け部５上に載置されるディスク４の直径よりやや小さくなっている。また、スリット７，７は、受け部５上に載置されたディスク４（袋１５）の外周縁と折り返しライン８ｃ，８ｃとの交点の内、下蓋部１寄りの交点付近から、ディスク４を収容した袋１５に沿って、保持部６の一辺へ抜けたものとなっている。
【００３９】
図１４に示されるような位置にディスク４を収容した袋１５（ディスク４のみでもよい）を置いた後、図１５に示されるように、両保持部６，６を受け部５上へ折り返すと、自動的に袋１５のコーナー部及びディスク４の周縁部がスリット７，７に差し込まれた状態となる。ディスク４の図中左方向へのずれは、袋１５のコーナー部及びディスク４の外周縁部がスリット７，７へ差し込まれた状態となることで防止されることになる。この場合、ディスク４の図中右方向（展開形状における押え部１１方向）のずれはスリット７，７では係止できないので、前述のように、押え部１１を受け部５側へ折り返す時の折り返しライン８ｄをディスク４の外周縁付近に設けることで、これを押えることが好ましい。
【００４０】
押え部１１は、前述のように、受け部５上に折り返された保持部６，６上に被さり、保持部６，６が開きにくくするものであるが、この保持部６，６上への被さり状態をより安定させるためには、図１６に示されるように、押え部１１の先端部に折り込み片１６を設けておくことが好ましい。この折り込み片１６は、折り込みライン８ｅを介して図１６中上方に折り返されるものである。また、図１６に示されるディスクケースは、この折り込み片１６を有する点以外は図１４で説明したものと同様である。
【００４１】
図１６に示されるような位置にディスク４を収容した袋１５（ディスク４のみでもよい）を置いた後、図１７に示されるように、両保持部６，６を受け部５上へ折り返す。この状態は図１５の状態と同様である。次に保持部６，６上に押え部１１を折り返して図１８の状態とするが、この時図１８に示されるように、折り込み片１６を折り返しライン８ｅを介して折り返し、保持部６，６の下方に折り込む。このようにすると、押え部１１が浮き上がりにくくなり、収納部３の組立安定性が増す。
【００４２】
尚、図１２〜図１８において、図示されていない下蓋部１及び上蓋部２部分は図１と同様である。
【００４３】
次に、下蓋部１と収納部３間の連接部分についての他の例を図１９及び図２０に基づいて説明する。
【００４４】
前述した図１のディスクケースの場合、収納部３を下蓋部１上へ折り返す時の折り返しライン８ｂは下蓋部１の収納部３側端辺とほぼ一直線上に形成されている。これに対して図１９のディスクケースの場合、収納部３を下蓋部１上へ折り返す時の折り返しライン８ｂが下蓋部１の内側へやや食い込んでいる。即ち、受け部５が下蓋部１のやや内側まで食い込んで形成されており、この受け部５の下蓋部１側の端縁が折り返しライン８ｂとなっている。尚、その他の構成は図１に示されるディスクケースと同様で、図１と同じ符号は同じ構成部位を示すものである。
【００４５】
上記図１９のディスクケースについて、図２〜図４で説明したように、ディスク４を載置した後、保持部６，６を受け部５上へ折り返してから押え部１１を保持部６，６上に折り返し、更に収納部３全体を下蓋部１上へ折り返した状態（図４に対応する状態）が図２０の状態である。図面から明らかなように、図面上、下蓋部１の両側部分より中央の部分（下蓋部１と収納部３の連接部分）が凹んだ状態となる。即ち、折り返しライン８ｂが下蓋部１の内側へ食い込んでいる量だけ、下蓋部１の上下の部分より中央の部分（下蓋部１と収納部３の連接部分）が凹んだ状態となる。
【００４６】
上記のような下蓋部１と収納部３の連接状態は、特に無線綴を行う場合に有利である。即ち、無線綴の場合、丁合いされて１冊の本にまとめられた中身の背の部分を２．５〜３ｍｍ程度の幅でミーリングカットして１枚単位に切り離し、そのカットした部分に接着剤を塗布して製本することになるが、上記のように下蓋部１と収納部３の連接部分が凹んでいると、ミーリングカット時に、この連接部が切り離されてしまうことを防止することができる。従って、下蓋部１の内側への折り返しライン８ｂの食い込み量、換言すると下蓋部１の内側への受け部３の食い込み量は、ミーリングカットの幅よりやや大きめに設定しておくことが好ましい。
【００４７】
本発明に係るディスクケースは、これまで説明したような１枚のディスク４を収納するもののみではなく、複数枚のディスク４を収納できるものとすることができる。例えば、図２１に示されるように、１つの下蓋部１に対して２つの収納部３が並列して夫々連接すれば、同時に２枚のディスクを収納できるディスクケースとすることができる。また、図２１に示されるディスクケースは図１に示されるディスクケースの収納部３を２つ設けたものとなっているが、他の例の収納部３を２つ設けたものとすることもでき、更には３つ以上の収納部３を設けたものとすることもできる。尚、図２１において、図１と同じ符号は図１と同じ構成部材を示すものである。
【００４８】
本発明に係るディスクケースは、図２５に示されるように、掩蓋片１７，１７を有するものとすることもできる。この掩蓋片１７，１７は、折り返しライン８ｆ，８ｆを介して下蓋部１の両側に設けられているもので、両端部に外方に突出した突出片１８，１８を有している。この図２２のディスクケースについて、図２〜図４で説明したように、ディスク４を載置して保持部６，６を受け部５上へ折り返してから押え部１１を保持部６，６上に折り返し、更に収納部３全体を下蓋部１上へ折り返した後、掩蓋片１７，１７を下蓋部１上の収納部３上へと折り返して、その突出部２２，２２を収納部３の下方へ差し込んだ状態が図２３の状態である。図２３から明らかなように、掩蓋片１７，１７は、折り返しライン８ｆ，８ｆを介して、下蓋部１上の収納部３上へと折り返した時に、その外側縁の中央部分がディスク４の外周縁部分に相当する受け部５の突出部分に引っ掛かり、両端部の突出片１８，１８が収納部３の下側に差し込まれることで、収納部３を挟むようにして抱えるものである。
【００４９】
上記のような掩蓋片１７，１７を設けると、収納部３と下蓋部１の間に指等をこじ入れることができなくなるので、ディスク４の抜き取り防止効果を向上させることができる。
【００５０】
掩蓋片１７，１７は、図２４及び図２５に示されるように、突出片１８，１８（図２２参照）がなく、下蓋部１上に折り返された収納部３上に被さるだけのものとすることもできる。この掩蓋片１７，１７を収納部３上に被せて抱えさせるだけでも、掩蓋片１７，１７を引き起こさなければ収納部３と下蓋部１の間に指等をこじ入れることができないので、ディスク４の抜き取り防止効果を向上させることができる。特に、雑誌や書籍に綴じ込む時に、図６〜図８で説明した保持部６と同様に、掩蓋片１７，１７の一端部を綴じ込み代１４（図６〜図８参照）内に位置させて、これを綴じ込んでしまうと、掩蓋片１７，１７が収納部３上に被さった状態に維持されるので、上記抜き取り防止効果を一層高めることができる。このときも、図６〜図８で説明した保持部６と同様に、掩蓋片１７，１７にも切り離しライン１３（図６〜図８参照）を設けておくと開封しやすくできる。
【００５１】
以上の各例は、いずれも雑誌や書籍に綴じ込む場合に便利なものであるが、本発明のディスクケースはこのような綴じ込み用だけでなく、通常の保護ケースとしても応用することができる。この場合、間に収納部３を挟んで重ね合わされた下蓋部１と上蓋部２が開いてしまわないよう、両者間を止める蓋止め手段を設けることが好ましい。この蓋止め手段としては、例えば図２６に示されるように、上蓋部２に設けた舌片１９と、下蓋部１に設けた差し込み口２０を用いることができる。舌片１９を差し込み口２０に差し込んでおくことで、下蓋部１と上蓋部２が開いてしまうのを防止することができる。
【００５２】
【発明の効果】
本発明は、以上説明した通りのものであり、次の効果を奏するものである。
【００５３】
（１）接着剤による封止を行うことなくディスク４を収納できるので、ディスク４の収納に際して接着剤の塗布工程が不要であり、収納作業が容易である。
【００５４】
（２）ディスク４は保持部６，６及び押え部１１が被さった状態で収納部３内にしっかり保持されるので、持ち運び時のディスク４の脱落や書店店頭でのディスク４の抜き取りを確実に防止することができる。特に保持部６，６の一端を綴じ込み代１４内に位置させて綴じ込んでしまうことで、この効果を一層高めることができる。
【００５５】
（３）ディスク止め手段を選択することで、むき出しのディスク４であるか袋１５入りのディスク４であるかを問わず、簡単かつ確実に収納することができる。
【００５６】
（４）押え部１１の先端に、組立時に保持部６，６の下方に差し込まれる差し込み部１６を設けておくと、収納部３の組立安定性を一層向上させることができる。
【００５７】
（５）収納部３の下蓋部１上への折り返しライン８ｂを下蓋部１の内側にやや食い込んだ位置に形成しておくことで、ミーリングカットを伴う無線綴を行う場合でも、このミーリングカットによって連接部が分断されないディスクケースとすることができる。
【００５８】
（６）複数の収納部３を連接することで、一度に複数のディスク４を収納できるディスクケースとすることもできる。
【００５９】
（７）掩蓋片１７，１７を設けると、持ち運び時のディスク４の脱落や書店店頭でのディスク４の抜き取りを一層確実に防止することができる。
【００６０】
（８）容易に通常の保護ケースとしても利用できる。
【図面の簡単な説明】
【図１】本発明に係るディスクケースの一例を示す展開平面図である。
【図２】図１の状態から保持部を受け部上へ折り返した状態を示す図である。
【図３】図２の状態から押え部を保持部上へ折り返した状態を示す図である。
【図４】図３の状態から収納部を下蓋部上へ折り返した状態を示す図である。
【図５】図４の状態から上蓋部を下蓋部上へ折り返した状態を示す図である。
【図６】雑誌や書籍への綴じ込み用のディスクケースとする場合の一具体例を示す展開平面図である。
【図７】図６のディスクケースを図２〜図４に相当する状態を経て、上蓋部を下蓋部上へ折り返した状態を示す図である。
【図８】雑誌や書籍に綴じ込まれた図６のディスクケースを開封した状態を示す斜視図である。
【図９】雑誌や書籍への綴じ込み用のディスクケースとする場合の他の具体例を示す展開平面図である。
【図１０】図９のディスクケースを図２〜図４に相当する状態を経て、上蓋部を下蓋部上へ折り返した状態を示す図である。
【図１１】雑誌や書籍に綴じ込まれた図９のディスクケースを開封した状態を示す斜視図である。
【図１２】鉤形スリットをディスク止め手段とする場合を示す図である。
【図１３】図１２の状態から保持部を受け部上へ折り返した状態を示す図である。
【図１４】ディスクの下蓋部側へのずれのみを係止するスリットをディスク止め手段とする場合を示す図である。
【図１５】図１４の状態から保持部を受け部上へ折り返した状態を示す図である。
【図１６】押え部の先端に差し込み片を設ける場合の例を示す図である。
【図１７】図１６の状態から保持部を受け部上へ折り返した状態を示す図である。
【図１８】図１７の状態から押え部を保持部上へ折り返し、差し込み片を保持部の下方へ差し込んだ状態を示す図である。
【図１９】本発明に係るディスクケースの他の例を示す展開平面図である。
【図２０】図１９の状態から図２〜図４に相当する状態を経て、上蓋部を下蓋部上へ折り返した状態を示す図である。
【図２１】複数の収納部を有するディスクケースの一例を示す展開平面図である。
【図２２】掩蓋片を有するディスクケースの一例を示す展開平面図である。
【図２３】図２２の状態から図２〜図５に相当する状態を経て、掩蓋片を収納部側へ折り返して、突出片を収納部の下側へ差し込んだ状態を示す図である。
【図２４】掩蓋片を有するディスクケースの他の例を示す展開平面図である。
【図２５】図２４の状態から図２〜図５に相当する状態を経て、掩蓋片を収納部側へ折り返した状態を示す図である。
【図２６】蓋止め手段の一例を示す図である。
【符号の説明】
１    下蓋部
２    上蓋部
３    収納部
４    ディスク
５    受け部
６    保持部
７    スリット
８ａ  折り返しライン
８ｂ  折り返しライン
８ｃ  折り返しライン
８ｄ  折り返しライン
８ｅ  折り返しライン
８ｆ  折り返しライン
９ａ  外窓
９ｂ  内窓
１０  隙間
１１  押え部
１２  開封部
１３  切り離しライン
１４  綴じ込み代
１５  袋
１６  差し込み片
１７  掩蓋片
１８  突出片
１９  舌片
２０  差し込み口
【図１】
0003670431.tif 000002
【図２】
0003670431.tif 000003
【図３】
0003670431.tif 000004
【図４】
0003670431.tif 000005
【図５】
0003670431.tif 000006
【図６】
0003670431.tif 000007
【図７】
0003670431.tif 000008
【図８】
0003670431.tif 000009
【図９】
0003670431.tif 000010
【図１０】
0003670431.tif 000011
【図１１】
0003670431.tif 000012
【図１２】
0003670431.tif 000013
【図１３】
0003670431.tif 000014
【図１４】
0003670431.tif 000015
【図１５】
0003670431.tif 000016
【図１６】
0003670431.tif 000017
【図１７】
0003670431.tif 000018
【図１８】
0003670431.tif 000019
【図１９】
0003670431.tif 000020
【図２０】
0003670431.tif 000021
【図２１】
0003670431.tif 000022
【図２２】
0003670431.tif 000023
【図２３】
0003670431.tif 000024
【図２４】
0003670431.tif 000025
【図２５】
0003670431.tif 000026
【図２６】
0003670431.tif 000027